(57)【要約】【課題】  電装箱の組み付け時に、電装箱本体のメイン基板、或いは蓋体のサブ基板に過度の外力が作用するのを防ぐことが可能な空気調和機を提供する。【解決手段】  筐体３Ａの内部に熱交換器４、送風機６及び電装箱２０を備えた空気調和機である。そして、電装箱２０は、一面に開口部２２Ａを有するとともに内部にはメイン基板２４が配置された電装箱本体２２と、この電装箱本体の開口部を覆うように設けられ、メイン基板の外端縁に基板面が対向するサブ基板２６及びこのサブ基板に連なる操作部２７を有する蓋体２３と、この蓋体の操作部を臨ませる窓２１Ａが設けられたユニットカバー２１とを備え、このユニットカバーと蓋体との間にはパッキン３０を介在させた構成としている。【選択図】      図３
2004170055.tif 000002
【特許請求の範囲】
【請求項１】
筐体の内部に熱交換器、送風機及び電装箱を備えた空気調和機において、前記電装箱は、一面に開口部を有するとともに内部にはメイン基板が配置された電装箱本体と、この電装箱本体の開口部を覆うように設けられ、前記メイン基板の外端縁に基板面が対向するサブ基板及びこのサブ基板に連なる操作部を有する蓋体と、この蓋体の操作部を臨ませる窓が設けられたユニットカバーとを備え、このユニットカバーと前記蓋体との間にはパッキンを介在させたことを特徴とする空気調和機。
【請求項２】
前記電装箱本体には位置決めピンが設けられ、この位置決めピンを係合させるピン孔が前記蓋体に設けられていることを特徴とする請求項１に記載の空気調和機。
【請求項３】
前記蓋体は、上蓋板と下蓋板とを重ね合わせて構成するとともに、これら上蓋板と下蓋板には、それぞれ放熱用の通気部が設けられていることを特徴とする請求項１に記載の空気調和機。
【発明の詳細な説明】
【技術分野】
【０００１】
本発明は、メイン基板及びサブ基板を有する電装箱を備えた空気調和機に関する。
【背景技術】
【０００２】
一般に、この種の空気調和機においては、空気調和機本体としての筐体の内側に、熱交換器、送風機及びプリント基板等の制御基板を収容した電装箱を備えており、そして、電装箱が、内部にメイン基板を配置した電装箱本体と、この電装箱本体の前面に設けられた開口部を覆うように蓋体を備え、この蓋体は、上記メイン基板の外端縁に基板面が対向するサブ基板及びこのサブ基板に連なる操作部を有するように構成したものが知られている（例えば、特許文献１参照。）。
【特許文献１】特開平７−１２３６８号公報
【発明の開示】
【発明が解決しようとする課題】
【０００３】
しかし、前記した従来技術のものでは、サブ基板及びこのサブ基板に連なる操作部を有する蓋体が、電装箱本体の開口部に、ねじ止め或いはワンタッチクリップ等によって固定されるため、電装箱本体のメイン基板、或いは蓋体のサブ基板に過度の外力が作用し、それら基板が変形する等の心配があった。
【０００４】
そこで、本発明の目的は、電装箱の組み付け時に、電装箱本体のメイン基板、或いは蓋体のサブ基板に過度の外力が作用するのを防ぐことが可能な空気調和機を提供することにある。
【課題を解決するための手段】
【０００５】
請求項１に記載の発明は、筐体の内部に熱交換器、送風機及び電装箱を備えた空気調和機において、前記電装箱は、一面に開口部を有するとともに内部にはメイン基板が配置された電装箱本体と、この電装箱本体の開口部を覆うように設けられ、前記メイン基板の外端縁に基板面が対向するサブ基板及びこのサブ基板に連なる操作部を有する蓋体と、この蓋体の操作部を臨ませる窓が設けられたユニットカバーとを備え、このユニットカバーと前記蓋体との間にはパッキンを介在させたことを特徴とする。
【０００６】
請求項２に記載の発明は、請求項１に記載の空気調和機において、前記電装箱本体には位置決めピンが設けられ、この位置決めピンを係合させるピン孔が前記蓋体に設けられていることを特徴とする。
【０００７】
請求項３に記載の発明は、請求項１に記載の空気調和機において、前記蓋体は、上蓋板と下蓋板とを重ね合わせて構成するとともに、これら上蓋板と下蓋板には、それぞれ放熱用の通気部が設けられていることを特徴とする。
【発明の効果】
【０００８】
本発明では、筐体の内部に熱交換器、送風機及び電装箱を備えた空気調和機において、前記電装箱は、一面に開口部を有するとともに内部にはメイン基板が配置された電装箱本体と、この電装箱本体の開口部を覆うように設けられ、前記メイン基板の外端縁に基板面が対向するサブ基板及びこのサブ基板に連なる操作部を有する蓋体と、この蓋体の操作部を臨ませる窓が設けられたユニットカバーとを備え、このユニットカバーと前記蓋体との間にはパッキンを介在させた構成であるから、電装箱本体の開口部を蓋体で覆い、その上にユニットカバーをかぶせて固定する際、パッキンが圧縮されて蓋体が電装箱本体側に押圧されるため、電装箱本体内のメイン基板や蓋体のサブ基板に過度の外力が作用するのを防止でき、基板の変形を抑制できる。
【実施例１】
【０００９】
以下、本発明の一実施例について図１〜図４の図面に基づき説明すると、図１において、１は室内の壁板であり、この壁板１の所定位置には、取付用開口２が形成されており、この取付用開口２の内側部分には、本発明の一実施例である空気調和機３が取付けられている。
【００１０】
前記空気調和機３は、図１に示すように、外枠となる筐体３Ａを備え、この筐体３Ａの内部には、略く字状に折り曲げられた熱交換器４が配設され、この熱交換器４には、冷媒圧縮機、四方弁、室外熱交換器および減圧装置が内蔵された図示しない室外機からの冷媒が供給されるようになされており、この熱交換器４の空気の流出側近傍には、例えば、クロスフローファン等からなる送風機６が配設されている。
【００１１】
前記筐体３Ａの前面には、吸込グリル７が配設されており、この吸込グリル７の内側には、フィルタ８が配設されている。そして、前記吸込グリル７の吸込口７Ａから吸い込まれた被調和室の空気は、フィルタ８で除塵された後に、熱交換器４に至り、ここで空気調和された後に、送風機６を介して吸込グリル７の下部に形成された吹出口７Ｂから被調和室内に吹き出される。
【００１２】
前記熱交換器４の下方にはドレンパン１１が配設され、このドレンパン１１には熱交換器４の表面に生じたドレンが滴下される。
【００１３】
図２は、空気調和機３の正面図である。この空気調和機３の正面には、熱交換器４が露出し、この熱交換器４の図中右側には、筐体３Ａの縦方向のほぼ一杯に延在する電装箱２０が配置されている。
【００１４】
前記電装箱２０には、図示を省略した制御基板が配置され、この制御基板には、送風機６のモータ制御線や、熱交換器４に付設された電磁弁の制御線等が接続されている。２１はユニットカバーである。
【００１５】
図３は、電装箱２０の縦断面図であり、この電装箱２０は、図示を省略した止め具を介して筐体３Ａの内側に固定されており、そして、この電装箱２０は、前面に開口部２２Ｃを設けた箱形の電装箱本体２２と、この電装箱本体２２の開口部２２Ｃを前方から覆う蓋体２３とを備えて構成されている。
【００１６】
また、前記電装箱本体２２の内部には、制御基板を構成する一対のメイン基板２４が、互いに対向して、電装箱本体２２の内側に差し込まれることにより固定されている。前記蓋体２３は、電装箱本体２２の開口部２２Ｃに宛がわれて、その開口部２２Ｃを覆う構成である。
【００１７】
上述の段階では、蓋体２３の上端部２３Ａ及び下端部２３Ｂが、電装箱本体２２の受け部２２Ａ，２２Ｂに軽く当接している。
【００１８】
前記蓋体２３の略中央には、ほぼ矩形状に突出した操作パネル２５が形成されており、この操作パネル２５の内側には、前記メイン基板２４にコネクタ等を用いて接続されたサブ基板２６、及びこのサブ基板２６に制御線で接続された各種スイッチ類等の操作部２７が配置されている。そして、前記サブ基板２６は、メイン基板２４の外端縁２４Ａに対し、その基板面２６Ａが対向している。
【００１９】
前記ユニットカバー２１は、操作パネル２５が臨む窓２１Ａを有し、このユニットカバー２１と蓋体２３との間にはパッキン３０が介装され、このパッキン３０はユニットカバー２１に押されてわずかに圧縮されている。このユニットカバー２１は、筐体３Ａにねじ２８を介して堅固に固定されている。
【００２０】
前記蓋体２３は、図４Ａ及びＢに示すように、上蓋板３１と下蓋板３２とを備え、これらを重ね合わせた後に、爪３３を折り曲げて、各蓋板３１，３２を重合させて構成している。
【００２１】
前記下蓋板３２には２つの通風孔（通気部）３２Ａと、操作パネル２５が貫通する貫通孔３２Ｂと、ピン孔３２Ｃとが形成されている。
【００２２】
前記上蓋板３１には、通風孔３２Ａに整合する多数の円孔からなる通気孔群（通気部）３１Ａと、操作パネル２５が貫通する貫通孔３１Ｂと、ピン孔３１Ｃとが形成され、このピン孔３１Ｃ及び前記ピン孔３２Ｃには、電装箱本体２２に設けられた位置決めピン（図示せず）が係合される。
【００２３】
前記通気孔群３１Ａの中間部には、パッキン３０が貼られ、このパッキン２７は、上述したように、ユニットカバー２１に押されてわずかに圧縮し、この圧縮力で蓋体２３が固定されている。
【００２４】
前記した構成の蓋体２３が使用された場合、基板から発生した熱が、通気孔群３１Ａで拡散されて排熱される。通気孔群３１Ａの中間部には、パッキン３０が存在するため、このパッキン３０が仕切り壁となり、両通気孔群３１Ａからの排熱が混ざり合うことがなく、スムーズに排熱される。また、通気孔群３１Ａの中間部には、パッキン３０が存在することで、ユニットカバー２１と蓋体２３との間の距離が、パッキン３０によってほぼ一定に保たれるため、上述した排熱がよりスムーズになる。
【００２５】
前記操作部２７は、図４Ｂに示すように、運転ランプ２７Ａ、タイマランプ２７Ｂ、サービス故障診断ランプ２７Ｃ等の各種ＬＥＤランプ類と、タッグスイッチ２７Ｄ、リモコンアドレススイッチ２７Ｅ、運転停止スイッチ２７Ｆ、スライドスイッチ２７Ｇ等の各種スイッチ類を備えて構成される。
【００２６】
本実施例では、電装箱本体２２を空気調和機３の筐体３Ａに固定し、この電装箱本体２２の開口部２２Ｃに蓋体２３を宛い、その上にユニットカバー２１をかぶせ、このユニットカバー２１をねじ２８で筐体３Ａに固定する構成となっており、このユニットカバー２１を固定した場合、パッキン３０が圧縮されて、蓋体２３が電装箱本体２２側に押圧される。
【００２７】
従来では、電装箱本体２２の開口部２２Ｃに、ねじで強固に蓋体２３を固定した場合、電装箱本体２２のメイン基板２４、或いは蓋体２３のサブ基板２６等に過度の外力が加わる恐れがある。
【００２８】
しかしながら本実施例では、蓋体２３は、パッキン３０を介して緩やかに押圧されて、電装箱本体２２にセットされるため、電装箱本体２２のメイン基板２４、或いは蓋体２３のサブ基板２６等に過度の外力が作用することがなく、それらメイン基板２４やサブ基板２６の変形が抑制される。
【００２９】
以上、一実施例に基づいて本発明を説明したが、本発明は、これに限定されるものではなく、種々変更が可能である。
【図面の簡単な説明】
【００３０】
【図１】本発明に係る空気調和機の一実施例を示す縦断面図である。
【図２】ユニットカバーを外した状態の空気調和機の正面図である。
【図３】電装箱の断面図である。
【図４】Ａは上蓋板を示し、Ｂは下蓋板を示す図である。
【符号の説明】
【００３１】
３      空気調和機
３Ａ    筐体
４      熱交換器
６      送風機
２０      電装箱
２１      ユニットカバー
２１Ａ    窓
２２      電装箱本体
２２Ｃ    電装箱本体の開口部
２３      蓋体
２４      メイン基板
２５      操作パネル
２６      サブ基板
２７      操作部
３０      パッキン
３１      上蓋板
３１Ａ    通気孔群（通気部）
３２      下蓋板
３２Ａ    通風孔（通気部）
【図１】
2004170055.tif 000003
【図２】
2004170055.tif 000004
【図３】
2004170055.tif 000005
【図４】
2004170055.tif 000006